(57)【要約】【課題】  メロン等の果実を切り分ける際に、皮の付近に果肉が残らず、無駄なくきれいに切り分けることが可能な果物ナイフを提供する。【解決手段】  先端部２ａから根本２ｂにかけて円弧状に曲がった刃２と、刃２の根本２ｂに連続する柄３とを備える果物ナイフ１。刃２は、鋼、ステンレス鋼等をプレス成形により製造することができる。刃２を果実１０の皮１１の内側に沿ってスムーズに移動させることができ、皮１１に近い部分に果肉が残ることがない。円弧状の刃２の横断面形状を、円弧の中心点４を中心とし、みねの最も外側の部分２ｅを通過する円弧から、エッジ２ｄを内側に位置させると、刃２の外側の側面２ｃが皮１１の内側に当接し、エッジ２ｄが皮１１の内側から若干内側に入ったところを移動するため、エッジ２ｄが皮１１の内側に触れず、刃２に加わる抵抗が小さくなり、さらに容易に果実を切り分けることができる。【選択図】  図１
0003102649.tif 000002
【実用新案登録請求の範囲】
【請求項１】
先端部から根本にかけて円弧状に曲がった刃と、
該刃の根本に連続する柄とを備えることを特徴とする果物ナイフ。
【請求項２】
前記円弧状の刃の横断面形状は、該円弧の中心点を中心とし、みねの最も外側の部分を通過する円弧から、エッジが内側に位置することを特徴とする請求項１記載の果物ナイフ。
【考案の詳細な説明】
【技術分野】
【０００１】
本考案は、果物ナイフに関し、特に、メロン等、全体の形状が球状で、比較的果肉の柔らかい果物を切り分けるのに好適な果物ナイフに関する。
【背景技術】
【０００２】
従来、メロン等を切り分ける際には、果物ナイフを用い、図４（ａ）に示すように、まずメロン２０全体を一点鎖線２１に沿って半分に割り、その後、図４（ｂ）に示すように、半分に切られたメロン２０を一点鎖線２３〜２５に沿って何等分かに切り分け（同図では４等分している）、最後に、図４（ｃ）に示すように、皮２６に近い分を一点鎖線２８に沿って切り落としていた。
【考案の開示】
【考案が解決しようとする課題】
【０００３】
しかし、従来の果物ナイフは、刃が真っ直ぐであるため、図４（ｃ）に示すように、メロン２０の皮２６に近い部分に、完全に切れずに果肉２７が残ってしまうため、残された果肉２７が捨てられて無駄になったり、果肉２７の部分を取るには、スプーン等の曲面を有する道具ですくい取るようにする必要があり煩雑であった。
【０００４】
そこで、本考案は、上記従来の果物ナイフの問題点に鑑みてなされたものであって、メロン等の果実を切り分けるにあたって、皮に近い部分に果肉が残ることがなく、無駄なくきれいに切り分けることが可能な果物ナイフを提供することを目的とする。
【課題を解決するための手段】
【０００５】
上記目的を達成するため、本考案は、果物ナイフであって、先端部から根本にかけて円弧状に曲がった刃と、該刃の根本に連続する柄とを備えることを特徴とする。
【０００６】
そして、本考案によれば、刃が先端部から根本にかけて円弧状に曲がっているため、刃を果実の皮の内側に沿ってスムーズに移動させることができ、皮に近い部分に果肉が残ることがなく、無駄なくきれいに切り分けることができる。
【０００７】
前記果物ナイフにおいて、前記円弧状の刃の横断面形状を、該円弧の中心点を中心とし、みねの最も外側の部分を通過する円弧から、エッジが内側に位置するように形成することができる。これによって、刃の外側の側面が皮の内側に当接し、エッジが皮の内側から若干内側に入ったところを移動するため、エッジが皮の内側に触れることがなく、刃に加わる抵抗が小さくなり、容易に果実を切り分けることができる。
【考案の効果】
【０００８】
以上説明したように、本考案にかかる果物ナイフによれば、メロン等の果実を切り分けるにあたって、皮に近い部分に果肉が残ることがなく、無駄なくきれいに切り分けることが可能となる。
【考案を実施するための最良の形態】
【０００９】
図１は、本考案にかかる果物ナイフの一実施の形態を示し、この果物ナイフ１は、先端部２ａから根本２ｂにかけて円弧状に曲がった刃２と、この刃２の根本２ｂに連続する柄３とをを備える。
【００１０】
刃２は、鋼またはステンレス鋼等の材料を用いてプレス成形して製造することができ、先端部２ａから根本２ｂにかけて、メロン等切り分けの対象となる果実の大きさに応じた円弧状とする。刃２の横断面は、図３に示すように、円弧の中心点４を中心とし、みねの最も外側の部分２ｅを通過する円弧５から、エッジ２ｄが内側に位置するように形成される。
【００１１】
柄３は、樹脂、木等で形成され、刃２の根本２ｂに連続するようにして刃２と接続される。
【００１２】
次に、上記構成を有する果物ナイフ１の使用方法について、メロンを切り分ける場合を例にとって図面を参照しながら説明する。
【００１３】
まず、従来用いられている直線上の刃を有する果物ナイフを用い、図４（ａ）及び（ｂ）に示すように、メロンを半分に切り、その後何等分かに切り分ける。
【００１４】
次に、図２に示すように、上述のようにして切り分けられたメロンの一片１０の皮１１の内側に沿って果物ナイフ１の刃２を移動させると、従来のような切り残しのない状態で、無駄なくきれいに皮１１と果肉１２とを切り分けることが可能となる。
【００１５】
この際、図３に示すように、刃２の横断面が、エッジ２ｄが円弧５から内側に位置するため、刃２の外側の側面２ｃが皮１１の内側に当接し、エッジ２ｄが皮１１の内側から若干内側に入ったところを移動するため、エッジ２ｄが皮の内側に触れることがなく、刃２に加わる抵抗が小さくなり、容易に果実を切り分けることができる。
【００１６】
尚、上記実施の形態においては、本考案にかかる果物ナイフによってメロンを切り分ける場合を例にとって説明したが、その他、全体の形状が球状で、比較的果肉の柔らかい果物についても本考案にかかる果物ナイフを有効に使用することができる。
【００１７】
また、上記実施の形態においては、刃２の横断面を、円弧の中心点４を中心とし、みねの最も外側の部分２ｅを通過する円弧から、エッジ２ｄが内側に位置するように形成したが、刃２の横断面形状はこれに限定されることなく、刃２を一定厚さの帯状の金属等で形成することも可能である。
【図面の簡単な説明】
【００１８】
【図１】本考案にかかる果物ナイフの一実施の形態を示す図であって、（ａ）は正面図、（ｂ）は平面図である。
【図２】図１の果物ナイフの使用方法を説明するための一部断面図である。
【図３】図１の果物ナイフの使用方法を説明するための一部断面図である。
【図４】従来の果物ナイフの使用方法を説明するための図であって、（ａ）は果実を半分に切る場合、（ｂ）はさらに複数に等分する場合、（ｃ）は果肉と皮とを分離させる状態を示す概略図である。
【符号の説明】
【００１９】
１      果物ナイフ
２      刃
２ａ    先端部
２ｂ    根本
２ｃ    側面
２ｄ    エッジ
２ｅ    みねの最も外側の部分
３      柄
４      円弧の中心
５      円弧
１０    メロン
１１    皮
１２    果肉
【図１】
0003102649.tif 000003
【図２】
0003102649.tif 000004
【図３】
0003102649.tif 000005
【図４】
0003102649.tif 000006
【手続補正書】
【提出日】平成16年3月2日(2004.3.2)
【手続補正１】
【補正対象書類名】実用新案登録請求の範囲
【補正対象項目名】請求項１
【補正方法】変更
【補正の内容】
【請求項１】
先端部から根本にかけて、腹に対して垂直な方向に膨出するように円弧状に曲がった刃と、  該刃の根本に連続する柄とを備えることを特徴とする果物ナイフ。
【手続補正２】
【補正対象書類名】明細書
【補正対象項目名】０００５
【補正方法】変更
【補正の内容】
【０００５】  上記目的を達成するため、本考案は、果物ナイフであって、先端部から根本にかけて、腹に対して垂直な方向に膨出するように円弧状に曲がった刃と、該刃の根本に連続する柄とを備えることを特徴とする。
【手続補正３】
【補正対象書類名】明細書
【補正対象項目名】０００６
【補正方法】変更
【補正の内容】
【０００６】  そして、本考案によれば、刃が先端部から根本にかけて、腹に対して垂直な方向に膨出するように円弧状に曲がっているため、刃を果実の皮の内側に沿ってスムーズに移動させることができ、皮に近い部分に果肉が残ることがなく、無駄なくきれいに切り分けることができる。
【手続補正４】
【補正対象書類名】明細書
【補正対象項目名】０００９
【補正方法】変更
【補正の内容】
【０００９】  図１は、本考案にかかる果物ナイフの一実施の形態を示し、この果物ナイフ１は、先端部２ａから根本２ｂにかけて、腹に対して垂直な方向に膨出するように円弧状に曲がった刃２と、この刃２の根本２ｂに連続する柄３とを備える。